(57)【要約】      （修正有）【課題】患者の気道確保と重患者室の人工呼吸及び全身痲酔を通じる手術中患者の呼吸を誘導して患者の生命を保護するために気管内挿入される気管挿管チューブ固定口を改良する。【解決手段】患者の顔面と口腔をくるみながら口腔に挿入させるための気道確保用ブロック１１０と、サクションチューブ挿入口１３０と、挿管チューブが挿入される挿入ホール及びバンド固定ホールを含む本体部１００と、挿入ホールに挿入された挿管チューブを固定するための会同固定部材と、前記会同結合部材が結合される結合部と、前記本体部の両端に具備されるオスベルクロとある一面が前記オスベルクロに附着するペディング部材４００Ａと、患者の首の後の部分をくるんで密着されながら前記本体部のバンド固定ホールに結合されるようにして前記本体部が着用部位で離脱されないようにするためのホルディング部材５００を含む。【選択図】図１２
2008093448.tif 000002
【特許請求の範囲】
【請求項１】
患者の気道を確保するための気管挿管チューブを固定するチューブ固定口において、
患者の顔面と口腔をくるみながら口腔に挿入させるための気道確保用ブロック（１１０）と、
サクションチューブ（６００）が挿入されるサクションチューブ挿入口（１２０）と、
挿管チューブ（７００）が挿入される挿入ホール（１３０）及びバンド固定ホール（１４０）を含む本体部（１００）と、
前記挿入ホールに挿入された挿管チューブを固定するための会同固定部材（２００）と、
前記会同固定部材が前記挿入ホールから自由入出入が成り立つように前記会同結合部材が結合される結合部（３００）と、
前記本体部（１００）の両端に具備されるオスベルクロ（１５０）とある一面が前記オスベルクロに附着されるペディング部材（４００Ａ）と、
患者の首の後をくるんで密着されながら前記本体部のバンド固定ホール（１４０）に結合されるようにして前記本体部が着用部位から離脱されないようにするためのホルディング部材（５００）とを含んで成り立つことを特徴とするサクションチューブ挿入口が具備される気管挿管用チューブ固定口。
【請求項２】
前記会同固定部材（２００）は、
外側に会同接触面（２１５）が具備されて、一側が開口されて半弧形象のガイドホーム（２２０）が形成されて中央から偏心されるように結合口（２２５）が形成されて下端部に会同取っ手（２３０）が形成されて成り立つ会同部（２１０）と、
前記ガイドホームの内側外壁（２３５）に会同軸（２５５）が形成されて、前記会同接触面（２１５）と相接して前記会同部（２１０）の会同方向に密着される会同接触部（２６０）が具備されて成り立つ胴体部（２６５）と、
前記胴体部には結合段差（２７０）が形成されて前記結合段差と結合されるように結合ホーム（２７５）が形成されて前記胴体部と結合される密着部（２８０）で成り立つ固定部（２５０）とを含んで構成されることを特徴とする請求項１に記載のサクションチューブ挿入口が具備される気管挿管用チューブ固定口。
【請求項３】
前記結合部（３００）は、
内部が貫通されて第１、２結合ホール（３１０、３２０）が形成されて前記会同固定部材（２００）の結合口（２２５）が前記第１、２結合ホールの間の空間に挿入されて前記第１、２結合ホールの間に挿入された前記結合口（２２５）が前記第１、２結合ホールと結合されるように前記第１、２結合ホールを貫通して締結される結合バー（３３０）で成り立つ結合軸（３４０）と、
前記結合軸と繋がれて挿管チューブ（７００）が挿入される挿入ホール（１３０）の内側壁には前記胴体部（２６５）の入／出入が易しいようにガイドホール（３５０）が貫通形成されて前記挿入ホール（１３０）の上部に所定長さ延長されて成り立つ挿入わく部（３６０）とが構成されて成り立つことを特徴とする請求項１に記載のサクションチューブ挿入口が具備される気管挿管用チューブ固定口。
【請求項４】
前記会同部（２１０）に形成される会同接触面（２１５）には、前記会同部を会同させて前記挿管チューブ（７００）が密着／固定の時前記会同部の流動を防止して多様な挿管チューブの大きさに合わせて密着／固定されるように会同接触面（２１５）一側に多数ヶの第1引っかかる突起（２４０）が形成されて、前記会同接触面と相接する会同接触部（２６０）には、前記第1引っかかる突起とかみ合って前記挿管チューブ（７００）を密着／固定するように第２引っかかる突起（２４５）が形成されることを特徴とする請求項２に記載のサクションチューブ挿入口が具備される気管挿管用チューブ固定口。
【請求項５】
前記密着部（２８０）は、前記挿管チューブ（７００）を密着／固定の時前記挿管チューブの原形を維持して、前記挿管チューブの密着／固定が容易いように密着ホーム（２８５）が形成されることを特徴とする請求項２に記載のサクションチューブ挿入口が具備される気管挿管用チューブ固定口。
【請求項６】
前記挿入ホール（１３０）には、前記挿管チューブ（７００）を挟んで密着／固定すること容易いように一側が開口されて形成されることを特徴とする請求項３に記載のサクションチューブ挿入口が具備される気管挿管用チューブ固定口。
【請求項７】
前記サクションチューブ挿入口（１２０）は、ハート模様で形成されることを特徴とする請求項１に記載のサクションチューブ挿入口が具備される気管挿管用チューブ固定口。
【請求項８】
前記気道確保用ブロック（１１０）の材質は、患者の気道確保のために患者の口腔内に挿入の時患者の歯牙損傷と口の内部の傷を予め防止できるようにマイクロフォ―ム材質で構成することを特徴とする請求項１に記載のサクションチューブ挿入口が具備される気管挿管用チューブ固定口。
【請求項９】
前記ペディング部材（４００Ａ）は、前記本体部（１００）のサクションチューブ挿入口（１２０）に対応されるように貫通形成されてサクションチューブ（６００）が挿入されるサクションチューブ挿入孔（４６０）と、前記気道確保用ブロック（１１０）が貫通されるように形成される気道確保用ブロック貫通孔（４１０）と、前記挿入ホール（１３０）に対応されるように一側が開口形成されて挿管チューブ（７００）が挿入される挿管チューブ挿入孔（４２０）で成り立つペディングボディー部（４００）で成り立つことを特徴とする請求項１に記載のサクションチューブ挿入口が具備される気管挿管用チューブ固定口。
【請求項１０】
多数ヶの階で成り立つ前記ペディング部材（４００Ａ）のペディングボディー部（４００）は、前記本体部（１００）から患者の顔面と口腔に加えられる圧を吸収しながら通気性を持つスポンジ層部（４３０）と、前記スポンジ層部（４３０）の一面に合支されて前記本体部の内側面に安着される通気性を持つ不織布で成り立つ安着層部（４４０）と、及び前記スポンジ層部（４３０）の他の面に合支されて通気性を持つ不織布で成り立って患者の顔面と口腔に接触される接触層部（４５０）で構成されることを特徴とする請求項９に記載のサクションチューブ挿入口が具備される気管挿管用チューブ固定口。
【請求項１１】
前記ペディング部材（４００Ａ）の接触層部（４５０）は、多数ヶの通風孔（４５５）が形成されて成り立つことを特徴とする請求項１０に記載のサクションチューブ挿入口が具備される気管挿管用チューブ固定口。
【請求項１２】
前記ホルディング部材（５００）は、患者の首の後をくるんで密着されるボディー部（５１０）と、前記ボディー部の両端に所定長さでそれぞれ延長されるサポーター部（５２０）と、及び前記サポーター部の一端にそれぞれ具備されて前記本体部（１００）のバンド固定ホール（１４０）に連結される連結固定手段（５３０）で構成されることを特徴とする請求項１に記載のサクションチューブ挿入口が具備される気管挿管用チューブ固定口。
【請求項１３】
前記ホルディング部材（５００）のボディー部（５１０）及びサポーター部（５２０）は、幾重の不織布で成り立つことを特徴とする請求項１２に記載のサクションチューブ挿入口が具備される気管挿管用チューブ固定口。
【請求項１４】
前記ホルディング部材（５００）の連結固定手段（５３０）は、一端が前記サポーター部（５２０）の一端に結合されて、他端は前記本体部（１００）のバンド固定ホール（１４０）に挟まれてサポーター部（５２０）の一側面に附着できるようにオスベルクロ（５３５）が一面に形成されることを特徴とする請求項１２又は１３に記載のサクションチューブ挿入口が具備される気管挿管用チューブ固定口。
【発明の詳細な説明】
【技術分野】
【０００１】
本発明はサクションチューブ挿入口が具備される気管挿管用チューブ固定口に関することで、もっと詳しくは患者の気道確保と重患者室の人工呼吸及び全身痲酔を通じる手術中患者の呼吸を誘導して患者の生命を保護するために気管内挿入される気管挿管チューブ固定口に関する。
【背景技術】
【０００２】
一般的に、気管挿管チューブは全身痲酔して行われる手術や重患者室で人工呼吸器による人工呼吸のためにそして患者の応急状況下で気道確保のために挿入されて、気管挿管チューブを気管内に適当な長さで挿管した後気管挿管チューブが抜けないように固定するためにチューブ周りを絆創膏で巻いて口腔周りに絆創膏を付けて気管挿管チューブを固定する。
【発明の開示】
【発明が解決しようとする課題】
【０００３】
前記のような方法で気管挿管チューブを固定すれば、前記チューブが患者の口腔で緩んで固定され前記チューブが気道から抜けるようになって、患者が意識的又は無意識的に前記気管挿管チューブを手で抜く場合が生じて患者の気道を確保することができなくなる深刻な状況を齎す問題点がある。特に、小児や幼児の場合チューブのやや小い流動によってもチューブが気管から抜けて応急状況が発生する場合があり、また絆創膏を付けることで皮膚が弱い患者の場合接触性皮膚炎を誘発させる問題点がある。
【０００４】
また、患者を看病するにおいても絆創膏でチューブを固定するために普通二人が協力してチューブを気管に挿管して挿管されたチューブを固定するので人力無駄使いが発生されるし、気管内の痰などの分泌物をとり除くためにサクションチューブを気管内に挿入する時に気道確保が難しいだけではなく無理な挿入及び分泌物除去の時患者が苦しくて首などを動かす場合チューブが搖れて患者の気管から離脱される危険性もあり、患者の唾液及び分泌物によって絆創膏が落ちてチューブが患者の気管から離脱される問題点がある。
【０００５】
また、チューブを気管に挿入する時に挿入されたチューブを患者が歯牙で押す場合が生じて患者の気道確保が難しくて、チューブ挿入の時患者の口腔と歯牙などに傷ができる場合が発生して、この傷に細菌及び病源菌が浸透して２次感染が発生される問題点がある。
【課題を解決するための手段】
【０００６】
本発明は前記のような問題点を解決するためのことで、半弧形象の本体部を患者の顔面部に着せて気道確保用ブロックを患者の口腔に挿入して気道を迅速に確保した後、両端のバンド固定ホールにホルディング部材を挟んで患者の首の後の部分をくるんで密着させて本体部が着用部位から離脱されないように本体部を患者の顔面部に固定して挿管チューブを迅速で容易く患者の気道内に挿入した後挿管チューブを会同固定部材を利用して固定して患者の気道を確保して、サクション挿入口を通じて気管内の痰などの分泌物を効果的にとり除いて患者の生命を保護して、重患者室の人工呼吸及び全身痲酔を通じる手術中の患者の呼吸を誘導して患者の生命を保護する同時に本体部内側に安着されたペディング部材によって前記本体部で患者の顔面に加えられる圧を吸収して患者の顔面部を保護して、皮膚トラブルを防止することができるサクションチューブ挿入口が具備される気管挿管用チューブ固定口を提供する。
【０００７】
前記のような目的を果たすために、患者の顔面と口腔をくるみながら口腔に挿入させるための気道確保用ブロックと、サクションチューブが挿入されるサクションチューブ挿入口と、挿管チューブが挿入される挿入ホール及びバンド固定ホールを含む本体部と、前記挿入ホールに挿入された挿管チューブを固定するための会同固定部材と、前記会同固定部材が前記挿入ホールに自由入出入ができるように前記会同結合部材が結合される結合部と、前記本体部の両端に具備されるオスベルクロと、ある一面が前記オスベルクロに附着されるペディング部材と、及び患者の首の後をくるんで密着されながら前記本体部のバンド固定ホールに結合されるようにして前記本体部が着用部位から離脱されないようにするためのホルディング部材とを含んで成り立つことを特徴とする。
【０００８】
また、前記会同固定部材は、外側に会同接触面が具備されて、一側が開口されて半弧形象のガイドホームが形成されて中央から偏心されるように結合口が形成されて下端部に会同取っ手が形成されて成り立つ会同部と、前記ガイドホームの内側外壁に会同軸が形成されて、前記会同接触面と相接して前記会同部の会同方向に密着される会同接触部が具備されて成り立つ胴体部と、前記胴体部には結合段差が形成されて前記結合段差と結合されるように結合ホームが形成されて前記胴体部と結合される密着部で成り立つ固定部を含んで構成されることを特徴とする。
【０００９】
また、前記結合部は、内部が貫通されて第１、２結合ホールが形成されて前記会同固定部材の結合口が前記第１、２結合ホールの間の空間に挿入されて前記第１、２結合ホールの間に挿入された前記結合口が前記第１、２結合ホールと結合されるように前記第１、２結合ホールを貫通して締結される結合バーで成り立つ結合軸と、前記結合軸と繋がれて挿管チューブが挿入される挿入ホールの内側壁には前記胴体部の入／出入が易しいようにガイドホールが貫通形成されて前記挿入ホールの上部に所定長さで延長されて成り立つ挿入わく部が構成されて成り立つことを特徴とする。
【００１０】
また、前記会同部に形成される会同接触面には、前記会同部を会同させて前記挿管チューブが密着／固定の時前記会同部の流動を防止して多様な挿管チューブの大きさに合わせて密着／固定されるように会同接触面一側に多数ヶの第１引っかかる突起が形成されて、前記会同接触面と触れ合う会同接触部には、前記第１引っかかる突起とかみ合って前記挿管チューブを密着／固定できるように第２引っかかる突起が形成されることを特徴とする。
【００１１】
また、前記密着部は、前記挿管チューブを密着／固定の時前記挿管チューブの原形を維持して、前記挿管チューブの密着／固定が容易いように密着ホームが形成されることを特徴とする。
【００１２】
また、前記挿入ホールには、前記挿管チューブを挟んで密着／固定することが容易いように一側が開口されて形成されることを特徴とする。また、前記サクションチューブ挿入口は、ハート模様で形成されることを特徴とするし、前記気道確保用ブロックの材質は、患者の気道確保のために患者の口腔内に挿入の時患者の歯牙損傷と口の内部の傷を予め防止するようにマイクロフォ―ム材質で構成することを特徴とする。
【００１３】
また、前記ペディング部材は、前記本体部のサクションチューブ挿入口に対応されるように貫通形成されてサクションチューブが挿入されるサクションチューブ挿入孔と、前記気道確保用ブロックが貫通されるように形成される気道確保用ブロック貫通孔と、前記挿入ホールに対応されるように一側が開口され形成されて挿管チューブが挿入される挿管チューブ挿入孔で成り立つペディングボディー部で成り立つことを特徴とする。
【００１４】
また、多数ヶの階で成り立つ前記ペディング部材のペディングボディー部は、前記本体部で患者の顔面と口腔に加えられる圧を吸収しながら通気性を持つスポンジ層部と、前記スポンジ層部の一面に合支されて前記本体部の内側面に安着される通気性を持つ不織布で成り立つ安着層部と、及び前記スポンジ層部の他面に合支されて通気性を持つ不織布で成り立って患者の顔面と口腔に接触される接触層部で構成されることを特徴とする。
【００１５】
また、前記ペディング部材の接触層部は、多数ヶの通気孔が形成されて成り立つことを特徴とするし、前記ホルディング部材は、患者の首の後をくるんで密着されるボディー部と、前記ボディー部の両端で所定長さでそれぞれ延長されるサポーター部と、及び前記サポーター部の一端にそれぞれ具備されて前記本体部のバンド固定ホールに連結される連結固定手段で構成されることを特徴とする。
【００１６】
また、前記ホルディング部材のボディー部及びサポーター部は、幾重の不織布で成り立つことを特徴とするし、前記ホルディング部材の連結固定手段は、一端は前記サポーター部の一端に結合されて、他端は前記本体部のバンド固定ホールに挟まれてサポーター部の一側面に附着するようにオスベルクロが一面に形成されることを特徴とする。
【発明の効果】
【００１７】
本発明によれば、半弧形象の本体部を患者の顔面部に被せてホルディング部材で固定した後、前記本体部に形成された気道確保用ブロックを患者の口腔内に挿入して便利で速かに患者の気道を確保するようになるので、迅速さを要する患者の応急処置を便利で安全に対応して患者の生存力を高めることができる効果があるし、また、挿管チューブを気管内に挿管時本体部に形成された気道確保用ブロックが患者の気道を充分に確保して挿管チューブが患者の気管内で迅速で便利に挿管されて速かに応急処置が可能な効果がある。
【００１８】
また、前記会同固定部材を通じて前記挿管チューブを密着／固定するので使用者は前記挿管チューブを便利に固定できるようになって、前記挿管チューブを固定するために必要な人力の無駄使いを減らすことができる効果があり、特に、患者が意識的に又は無意識的に挿管チューブに手をつけても挿管チューブが気管内で離脱されなくて前記挿管チューブが気管内で離脱されて生ずる応急状況を予め防止することができる効果がある。
【００１９】
また、患者の気道内で発生される痰などの分泌物が発生されて患者の気道を阻むようになって患者の生命に深刻な結果を齎すようになるので、この時、患者の気道を確保するためにサクションチューブを挿入して気管内の痰などの分泌物が除去されれば、前記本体部のサクションチューブ挿入口にサクションチューブを挿入して痰などの分泌物を吸いこんでとり除くようになって、この時挿管チューブとサクションチューブを同時に挿入してそれぞれの作業が同時にできて、固定されている挿管チューブに使用者は気を使わなく自由にサクションチューブを利用して痰などの分泌物除去作業を実施して人力の無駄使いを減らすことができる効果がある。
【００２０】
また、気道確保のために患者の口の内に挿入される気道確保用ブロックは柔らかいマイクロフォ―ム材質で構成されて患者の口腔と歯牙にできる傷を予め防止して傷に細菌及び病源菌が浸透して発生する２次感染を防止することができる効果がある。
【発明を実施するための最良の形態】
【００２１】
以下、添付された図面を参照して本発明の構成を詳しく説明する。図１は本発明によるサクションチューブ挿入口が具備される気管挿管用チューブ固定口を示した結合斜視図であり、図２は本発明によるサクションチューブ挿入口が具備される気管挿管用チューブ固定口を現わした分解斜視図であり、図３は本発明によるサクションチューブ挿入口が具備される気管挿管用チュブ固定口の会同固定部材と本体部を別に図示した平面図であり、図４は本発明によるサクションチューブ挿入口が具備される気管挿管用チューブ固定口の会同固定部材と本体部を別に図示した正面図であり、図５は本発明によるサクションチューブ挿入口が具備される気管挿管用チューブ固定口の分解平面図であり、図６は本発明によるサクションチューブ挿入口が具備される気管挿管用チューブ固定口の分解正面図であり、図７は本発明によるサクションチューブ挿入口が具備される気管挿管用チューブ固定口の結合平面図であり、図８は本発明によるサクションチューブ挿入口が具備される気管挿管用チューブ固定口の結合正面図であり、図９は本発明によるサクションチューブ挿入口が具備される気管挿管用チューブ固定口の使用状態を現わした平面図であり、図１０は本発明によるサクションチューブ挿入口が具備される気管挿管用チューブ固定口の使用状態を示した正面図であり、図１１は本発明によるサクションチューブ挿入口が具備される気管挿管用チューブ固定口のペディング部材とホルディング部材を現わした斜視図であり、図１２は本発明によるサクションチューブ挿入口が具備される気管挿管用チューブ固定口にペディング部材とホルディング部材が結合された状態を現わした結合斜視図であり、図１３は本発明によるサクションチューブ挿入口が具備される気管挿管用チューブ固定口のペディング部材の接触部を示した平面図で、図１４は本発明によるサクションチューブ挿入口が具備される気管挿管用チューブ固定口のホルディング部材の平面図であり、図１５は本発明によるサクションチューブ挿入口が具備される気管挿管用チューブ固定口のホルディング部材の連結固定手段を示した平面図で、図１６は本発明によるサクションチューブ挿入口が具備される気管挿管用チューブ固定口にペディング部材とホルディング部材が結合された状態を現わした結合断面図である。
【００２２】
図１ないし図１６に図示されたように、本発明によるサクションチューブ挿入口が具備される気管挿管用チューブ固定口は、患者の顔面と口腔をくるむように半弧形象の本体部（１００）が具備されて、患者の口腔に挿入される気道確保用ブロック（１１０）が前記本体部内側下端に具備される。
【００２３】
また、前記本体部（１００）の一側にはサクションチューブ（６００）が挿入されるサクションチューブ挿入口（１２０）が形成されて、前記本体部の中央には挿管チューブ（７００）が挿入される挿入ホール（１３０）が具備されて、前記本体部が着用部位から離脱されないようにホルディング部材（５００）が結合されるバンド固定ホール（１４０）が形成されて前記本体部を構成するようになる。
【００２４】
また、前記挿入ホール（１３０）に挿入された挿管チューブ（７００）を固定するための会同固定部材（２００）が具備されて、前記会同固定部材が前記挿入ホールで自由入出入が成り立つように前記会同結合部材が結合される結合部（３００）が具備される。
【００２５】
前記会同固定部材は、外側には会同接触面（２１５）が具備されて、一側が開口されて半弧形象のガイドホーム（２２０）が形成されて中央から偏心されるように結合口（２２５）が形成されて下端部に会同取っ手（２３０）が形成されて成り立つ会同部（２１０）と、前記ガイドホームの内側外壁（２３５）に会同軸（２５５）が形成されて前記会同接触面（２１５）と相接して前記会同部（２１０）の会同方向に密着される会同接触部（２６０）が具備されて成り立つ胴体部（２６５）と、前記胴体部（２６５）には結合段差（２７０）が形成されて前記結合段差と結合されるように結合ホーム（２７５）が形成されて前記胴体部と結合される密着部（２８０）で成り立つ固定部（２５０）を含んで構成されるようになって、前記結合部（３００）は、内部が貫通されて第１、２結合ホール（３１０,３２０）が形成されて前記会同固定部材（２００）の結合口（２２５）が前記第１、２結合ホールの間の空間に挿入されて前記第１、２結合ホールの間に挿入された前記結合口（２２５）が前記第１、２結合ホールと結合されるように前記第１、２結合ホールを貫通して締結される結合バー（３３０）で成り立つ結合軸（３４０）と、前記結合軸（３４０）と繋がれて挿管チューブ（７００）が挿入される挿入ホール（１３０）の内側壁には前記胴体部（２６５）の入／出入が易しいようにガイドホール（３５０）が貫通形成されて前記挿入ホール（１３０）の上部に所定長さ延長されて成り立つ挿入枠部（３６０）が構成されて成り立つようになる。
【００２６】
特に、前記会同部（２１０）に形成される会同接触面（２１５）には、前記会同部を会同させて前記挿管チューブ（７００）が密着／固定の時前記会同部の流動を防止して多様な挿管チューブの大きさに合わせて密着／固定されるように会同接触面（２１５）の一側に多数ヶの第1引っかかる突起（２４０）が形成されて、前記会同接触面と相接する会同接触部（２６０）には、前記第1引っかかる突起（２４０）とかみ合って前記挿管チューブを密着／固定するように第２引っかかる突起（２４５）が形成される。
【００２７】
また、前記密着部（２８０）は、前記挿管チューブを密着／固定の時前記挿管チューブの原形を維持して、前記挿管チューブの密着／固定が容易いように密着ホーム（２８５）が形成されて、前記挿入ホール（１３０）には、前記挿管チューブを挟んで容易く密着／固定できるように一側が開口されて形成される。また、前記サクションチューブ挿入口（１２０）は、美麗であることを強調するためにハート模様に形成されて、前記気道確保用ブロック（１１０）の材質は、患者の気道確保のために患者の口腔内に挿入の時患者の歯牙損傷と口の内部の傷を予め防止するようにマイクロフォ―ム材質で構成されるようにする。
【００２８】
特に、前記マイクロフォ―ムは高分子化合物として材質が柔らかくて断熱材料で使われるマイクロ多孔性ポリウレタンフォーム（Micro Cellular Poly Urethane Foam）を使うのが望ましい。
【００２９】
このような、高分子化合物材料は人類が利用可能な化学的、物理的、電気的特性を複合的に持っているので用途が非常に広い物質で、高温で化学的に硬化される前の熱硬化性高分子又は熱可塑性高分子は変形が可能なのでプラスチックの多くの多様な形態の最終製品を作ることができる。このような高分子材料の中で一部分は幾何学的に大変複雑な形態を持つようになる。
【００３０】
この時使われた工程は技術的に比較的単純に速かに成り立つようになる。高分子とプラスチックのこのような有用性と現代生活に利用される効果はプラスチックの独特な特性を利用して適切な形態で製作することと共に技術の発展と市場性及び流動性に起因して実用化される。
【００３１】
また、前記本体部（１００）の両端に具備されるオスベルクロ（１５０）そしてある一面が前記オスベルクロ（１５０）に附着するペディング部材（４００Ａ）が具備されて、患者の首の後をくるんで密着されながら前記本体部のバンド固定ホール（１４０）に結合されるようにして前記本体部が着用部位から離脱されないようにするためのホルディング部材（５００）が具備される。
【００３２】
前記ペディング部材（４００Ａ）は、前記本体部（１００）のサクションチューブ挿入口（１２０）に対応されるように貫通形成されてサクションチューブ（６００）が挿入されるサクションチューブ挿入孔（４６０）と、前記気道確保用ブロック（１１０）が貫通されるように形成される気道確保用ブロック貫通孔（４１０）が具備されて、前記挿入ホール（１３０）に対応されるように一側が開口されて形成され挿管チューブ（７００）が挿入される挿管チューブ挿入孔（４２０）で成り立つペディングボディー部（４００）が具備される。
【００３３】
また、多数ヶの階で成り立つ前記ペディング部材（４００Ａ）のペディングボディー部（４００）は、前記本体部（１００）から患者の顔面と口腔に加えられる圧を吸収しながら通気性を持つスポンジ層部（４３０）が具備されて、前記スポンジ層部の一面に合支され前記本体部（１００）の内側面に安着される通気性を持つ不織布で成り立つ安着層部（４４０）が具備される。
【００３４】
また、前記スポンジ層部（４３０）の他の面に合支されて通気性を持つ不織布で成り立って患者の顔面と口腔に接触される接触層部（４５０）が具備されるのに、前記ペディング部材（４００Ａ）の接触層部は、患者の顔面と口腔に接触する時通風性を高めて治療中に発生する異物による不快感を減らして皮膚トラブルの発生を防止できるように多数ヶの通風孔（４５５）が形成される。
【００３５】
また、前記ホルディング部材（５００）は、患者の首の後をくるんで密着されるボディー部（５１０）が具備されて、前記ボディー部の両端に所定長さそれぞれ延長されるサポーター部（５２０）が具備される。
【００３６】
また、前記サポーター部（５２０）の一端にそれぞれ具備されて前記本体部（１００）のバンド固定ホール（１４０）に連結される連結固定手段（５３０）が具備されて、前記ホルディング部材（５００）のボディー部（５１０）及びサポーター部（５２０）は、患者の首の後をくるんで密着する時発生される皮膚トラブルを防止して患者が心理的安定感を感じるように通気性を持つ幾重の不織布で成り立って、前記ホルディング部材の連結固定手段（５３０）は、一端は前記サポーター部の一端に結合されて、他端は前記本体部（１００）のバンド固定ホール（１４０）に挟まれてサポーター部（５２０）の一側面に附着するようにオスベルクロ（５３５）が一面に形成されて前記本体部（１００）が着用部位で離脱されなく安全に患者の気道を確保することができるようになる。
【００３７】
前記のような構成で本発明によるサクションチューブ挿入口が具備される気管挿管用チューブ固定口の使用状態は次のようである。患者の気道確保と重患者室の人工呼吸及び全身痲酔を通じる手術中患者の呼吸を誘導するために使用者は患者の顔面部に半弧形象の本体部（１００）を速かにかぶせて、本体部（１００）に形成された気道確保用ブロック（１１０）を患者の口腔内に挿入して患者の気道を充分に確保する。
【００３８】
以後、前記本体部（１００）に形成されたバンド固定ホール（１４０）にホルディング部材（５００）を挟んだ後前記ホルディング部材（５００）で患者の後頭をくるんで前記本体部が患者の顔面部に固定されるようにする。この時、使用者は患者の顔面部から前記本体部（２００）が流動されないようにホルディング部材の連結固定手段（５３０）を堅く附着するようにする。
【００３９】
また、前記本体部（１００）が患者の顔面部に固定された後使用者は速かに挿管チューブ（７００）を前記本体部（１００）の挿入ホール（１３０）に挿入して患者の気道内に挿管するようになるのに、この時、前記本体部（１００）の気道確保用ブロック（１１０）が患者の口腔内に挿入されて気道が充分に確保された状態で前記挿管チューブ（７００）が気道内に迅速で容易く挿管できるようになる。
【００４０】
また、気道内に挿管された前記挿管チューブ（７００）は患者の動きや使用者の動き等によって流動される又は抜けないように前記挿管チューブ（７００）を固定するようになるのに、この時、前記会同固定部材（２００）の会同部（２１０）を会同させて前記挿管チューブ（７００）を固定させるようになる。この時、前記会同固定部材（２００）に形成された第１、２引っかかる突起（２４０、２４５）がかみ合って前記挿管チューブ（７００）を堅く固定されるようになる。
【００４１】
特に、前記挿管チューブ（７００）を挿入して患者の気道を確保する時患者の気管内から痰などの分泌物が排出されるので、このような分泌物は患者の気道を阻む場合が発生して患者の生命に支障を与える場合があるので痰などの分泌物の吸入が可能なサクションチューブ（６００）を気管内に挿入しなければならないし、この時、前記本体部（１００）に形成されたサクションチューブ挿入口（１２０）に前記サクションチューブ（６００）を挿入して痰などの分泌物を迅速にとり除いて患者の生命を保護するようにして、前記挿管チューブ（７００）と前記サクションチューブ（６００）が同時に挿管されてそれぞれの作業が迅速に行われるようになる。
【００４２】
また、前記ペディング部材（４００Ａ）は、オスベルクロ（１５０）によって本体部（１００）内側に安着されて、前記スポンジ層部（４３０）は前記本体部（１００）から患者の顔面と口腔に加えられる圧を吸収して患者の顔面と口腔の傷を予め防止できるようになる。また、前記ペディングボディー部（４００）の接触層部（４５０）は患者の口腔と顔面に直接触れるようになるので、多数ヶの通風孔（４５５）が具備されて通風性を高めて治療中発生する異物による不快感を減らして皮膚トラブルの発生を防止するようになる。
【００４３】
また、前記ホルディング部材（５００）のボディー部（５１０）及びサポーター部（５２０）は、幾重の不織布で成り立って患者の首の後をくるんで密着する時に発生される皮膚トラブルを防止して患者が心理的安定感を感じることができるようになる。
以上で本発明を望ましい実施例に対して説明したが、本発明は前記のような実施例に限定されるのではなく、特許請求範囲で請求する本発明の要旨を脱しない範囲で当分野で通常の知識を持った者なら誰でも多様な変形が可能である。
【図面の簡単な説明】
【００４４】
【図１】本発明によるサクションチューブ挿入口が具備される気管挿管用チューブ固定口を示した結合斜視図、
【図２】本発明によるサクションチューブ挿入口が具備される気管挿管用チューブ固定口を示した分解斜視図、
【図３】本発明によるサクションチューブ挿入口が具備される気管挿管用チューブ固定口の会同固定部材と本体部を別に図示した平面図、
【図４】本発明によるサクションチューブ挿入口が具備される気管挿管用チューブ固定口の会同固定部材と本体部を別に図示した正面図、
【図５】本発明によるサクションチューブ挿入口が具備される気管挿管用チューブ固定口の分解平面図、
【図６】本発明によるサクションチューブ挿入口が具備される気管挿管用チューブ固定口の分解正面図、
【図７】本発明によるサクションチューブ挿入口が具備される気管挿管用チューブ固定口の結合平面図、
【図８】本発明によるサクションチューブ挿入口が具備される気管挿管用チューブ固定口の結合正面図、
【図９】本発明によるサクションチューブ挿入口が具備される気管挿管用チューブ固定口の使用状態を示した平面図、
【図１０】本発明によるサクションチューブ挿入口が具備される気管挿管用チューブ固定口の使用状態を示した正面図、
【図１１】本発明によるサクションチューブ挿入口が具備される気管挿管用チューブ固定口のペディング部材とホルディング部材を現わした斜視図、
【図１２】本発明によるサクションチューブ挿入口が具備される気管挿管用チューブ固定口にペディング部材とホルディング部材が結合された状態を示した結合斜視図、
【図１３】本発明によるサクションチューブ挿入口が具備される気管挿管用チューブ固定口のペディング部材の接触部を示した平面図、
【図１４】本発明によるサクションチューブ挿入口が具備される気管挿管用チューブ固定口のホルディング部材の平面図、
【図１５】本発明によるサクションチューブ挿入口が具備される気管挿管用チューブ固定口のホルディング部材の連結固定手段を示した平面図、
【図１６】本発明によるサクションチューブ挿入口が具備される気管挿管用チューブ固定口にペディング部材とホルディング部材が結合された状態を現わした結合断面図。
【符号の説明】
【００４５】
１００  本体部、１１０  気道確保用ブロック、１２０  サクションチューブ挿入口、１３０  挿入ホール、１４０  バンド固定ホール、１５０  オスベルクロ、２００  会同固定部材、２１０  会同部、２１５  会同接触面、２２０  ガイドホーム、２２５  結合口、２３０  会同取っ手、２３５  内側外壁、２４０  第１引っかかる突起、２４５  第２引っかかる突起、２５０  固定部、２５５  会同軸、２６０  会同接触部、２６５  胴体部、２７０  結合段差、２８０  密着部、２８５  密着ホーム、３００  結合部、３１０  第1結合ホール、３２０  第２結合ホール、３３０  結合バー、３４０  結合軸、３５０  ガイドホール、３６０  挿入わく部、４００Ａ  ペディング部材、４００  ペディングボディー部、４１０  気道確保用ブロック貫通孔、４２０  挿管チューブ挿入孔、４３０  スポンジ層部、４４０  安着層部、４５０  接触層部、４５５  通風孔、４６０  サクションチューブ挿入孔、５００  ホルディング部材、５１０  ボディー部、５２０  サポーター部、５３０  連結固定手段、５３５  オスベルクロ、６００  サクションチューブ、７００  挿管チューブ
【図１】
2008093448.tif 000003
【図２】
2008093448.tif 000004
【図３】
2008093448.tif 000005
【図４】
2008093448.tif 000006
【図５】
2008093448.tif 000007
【図６】
2008093448.tif 000008
【図７】
2008093448.tif 000009
【図８】
2008093448.tif 000010
【図９】
2008093448.tif 000011
【図１０】
2008093448.tif 000012
【図１１】
2008093448.tif 000013
【図１２】
2008093448.tif 000014
【図１３】
2008093448.tif 000015
【図１４】
2008093448.tif 000016
【図１５】
2008093448.tif 000017
【図１６】
2008093448.tif 000018